(57)【特許請求の範囲】
【請求項１】
ダイヤル入力された電話番号を識別し、所定の判定基準に基いて複数の電話回線の中から最も安価な電話回線を選択する回線識別番号を選択し、前記電話番号の先頭に選択された回線識別番号を付加して回線に送出するための回線自動選択方式において、予め相手端末制御用の特定のダイヤル番号を記憶する特定ダイヤル番号記憶手段と、ダイヤルされた電話番号を一時的に記憶する一時記憶手段と、前記一時的に記憶された電話番号の先頭部分に前記記憶されている特定のダイヤル番号に一致する部分が有るか否かを識別する特定ダイヤル番号識別手段と、前記特定ダイヤル番号識別手段により特定のダイヤル番号に一致する部分の有ることが識別されたとき前記一時的に記憶された電話番号の先頭部分から該特定のダイヤル番号に一致する部分を除いた残りの番号について前記所定の判定基準に基いて複数の電話回線の中から最も安価な電話回線を選択し、及び前記特定ダイヤル番号識別手段により特定のダイヤル番号に一致する部分の無いことが識別されたとき前記一時的に記憶された電話番号について前記所定の判定基準に基いて複数の電話回線の中から最も安価な電話回線を選択する回線選択手段と、前記一時記憶手段に記憶された電話番号に前記回線選択手段が選択する電話回線を選択する回線識別番号を付加して回線に送出するダイヤル送出手段とが具備されることを特徴とする回線自動選択方式。
【発明の詳細な説明】
【０００１】
【発明の属する技術分野】
本発明は、複数の電話回線の中から安価な回線を自動的に選択する回線自動選択（ＬＣＲ）技術に関するものである。
【０００２】
【従来の技術】
回線自動選択機能を有する電話機は、所定の判定基準に基いてダイヤル入力された電話番号を識別し、その電話番号について最も回線使用料が安価となる回線識別番号を付加して回線に送出する。また、ユーザーが回線識別番号を付加して電話番号を入力すると、回線識別番号を識別し、その場合には回線自動選択は行わずダイヤル入力された回線識別番号が付加された電話番号をそのまま回線に送出する。
【０００３】
【発明が解決しようとする課題】
将来、自端末の識別番号が交換機から相手端末に送られ、相手端末においてその識別番号が表示される発番号表示機能のサービスが開始されることが予想されるが、発番号表示を望まない場合には、それを制御する特定のダイヤル番号（例えば「１８４」）を電話番号の先頭に付加して回線に送出する必要が生じる。
【０００４】
しかしながら、従来の回線自動選択機能を有する電話機は、「１８４」等の相手端末制御用の特定のダイヤル番号を先頭に含む電話番号が入力されても、最も安価な回線を選択できない。
【０００５】
【課題を解決するための手段】
本発明は、上述の従来技術の課題を解決するため、ダイヤル入力された電話番号を識別し、所定の判定基準に基いて複数の電話回線の中から最も安価な電話回線を選択する回線識別番号を選択し、前記電話番号の先頭に選択された回線識別番号を付加して回線に送出するための回線自動選択方式において、予め相手端末制御用の特定のダイヤル番号を記憶する特定ダイヤル番号記憶手段と、ダイヤルされた電話番号を一時的に記憶する一時記憶手段と、前記一時的に記憶された電話番号の先頭部分に前記記憶されている特定のダイヤル番号に一致する部分が有るか否かを識別する特定ダイヤル番号識別手段と、前記特定ダイヤル番号識別手段により特定のダイヤル番号に一致する部分の有ることが識別されたとき前記一時的に記憶された電話番号の先頭部分から該特定のダイヤル番号に一致する部分を除いた残りの番号について前記所定の判定基準に基いて複数の電話回線の中から最も安価な電話回線を選択し、及び前記特定ダイヤル番号識別手段により特定のダイヤル番号に一致する部分の無いことが識別されたとき前記一時的に記憶された電話番号について前記所定の判定基準に基いて複数の電話回線の中から最も安価な電話回線を選択する回線選択手段と、前記一時記憶手段に記憶された電話番号に前記回線選択手段が選択する電話回線を選択する回線識別番号を付加して回線に送出するダイヤル送出手段とが具備されることを特徴とする回線自動選択方式である。
【０００６】
【発明の実施の形態】
図１は本発明の一実施形態を示す回線自動選択型電話機のブロック図である。
１はＬＣＲ判定を行うためのプロセッサ（ＣＰＵ）、２はＬＣＲ判定を行うためのデータ保持用メモリ、３はＬＣＲ判定を行うためのリアルタイムクロック、４は電気通信事業者とのデータ通信用素子（ＬＣＲ判定を行うためのデータ等を受信等するための素子：例えばモデム）、５はダイヤル送出部である。図示せぬダイヤル入力部から入力された電話番号はＣＰＵ１のバッファに一時記憶される。
ＣＰＵ１はこのとき一時記憶した電話番号の先頭に回線識別番号（００７７、００８８、００７０）が有るか否かを識別し、回線識別番号が有る場合にはＬＣＲ判定を行わず一時記憶した電話番号をそのままダイヤル送出部５へ送り回線に送出する。回線識別番号が無い場合には、さらに一時記憶した電話番号の先頭に特定のダイヤル番号「１８４」が有るか否かを識別する。特定のダイヤル番号「１８４」は、回線にダイヤル送出部５から送られたとき、相手端末において自端末の識別番号を表示することを許可しない発番号表示不許可を示す制御データを示すものである。
【０００７】
一時記憶したダイヤル入力された電話番号の先頭に「１８４」が無い場合、一時記憶した電話番号について、先頭に市外局番が有るか否かを識別する。市外局番が無い場合にはＬＣＲ判定を行わず一時記憶した電話番号をそのままダイヤル送出部５へ送り回線に送出する。市外局番が有る場合、従来と同様の所定のＬＣＲ判定を行う。ＬＣＲ判定は予めＣＰＵ１が記憶しているＬＣＲ判定プログラムに基いて市外局番等から回線選択を行う。回線選択の判定基準の一つである曜日、祝日等の特殊日、時間帯はリアルタイムクロック３の出力から識別されている。データ保持用メモリ２には、回線選択をする回線識別番号（００７７、００８８、００７０）が記憶されている。ＬＣＲ判定に基いてデータ保持用メモリ２から選択された回線識別番号はダイヤル送出部５に送られ、これに続いて一時記憶されている電話番号がダイヤル送出部５に送られて、回線識別番号とダイヤル入力された電話番号が回線に送出される。
【０００８】
一時記憶したダイヤル入力された電話番号の先頭に「１８４」が有る場合、一時記憶した電話番号の先頭から「１８４」を除いた残りの番号（一時記憶した電話番号の先頭から「１８４」を無視した番号）について、先頭に市外局番が有るか否かを識別する。市外局番が無い場合にはＬＣＲ判定を行わず一時記憶している先頭に「１８４」を含む電話番号をそのままダイヤル送出部５へ送り回線に送出する。市外局番が有る場合、一時記憶した電話番号の先頭から「１８４」を除いた残りの番号（一時記憶した電話番号の先頭から「１８４」を無視した番号）について、前述と同様に所定のＬＣＲ判定を行う。ＬＣＲ判定に基いてデータ保持用メモリ２から選択された回線識別番号はダイヤル送出部５に送られ、これに続いて一時記憶されている電話番号（先頭に「１８４」を含む）がダイヤル送出部５に送られて、回線識別番号とダイヤル入力された電話番号（先頭に「１８４」を含む）が回線に送出される。
【０００９】
従って、将来、発番号表示機能のサービスが開始された場合、発番号表示を許可しないことを遠隔制御するための特定のダイヤル番号を付加して従来と同様に電話番号をダイヤル入力するだけで、最も安価な回線を自動的に選択することができる。
【００１０】
【発明の効果】
電話番号の先頭に特定のダイヤル番号を付加してダイヤル入力を行う必要の有る場合、電話番号の先頭に特定のダイヤル番号を付加してダイヤル入力を行うだけで、特定のダイヤル番号を除いた番号についてＬＣＲ判定により最も安価な回線が選択され、回線選択番号と特定のダイヤル番号を含む入力された電話番号が自動的に回線に送出されるので、最も安価な回線を使用して特定のダイヤル番号による遠隔制御が可能になる。
【図面の簡単な説明】
【図１】本発明の一実施形態を示す回線自動選択型電話機のブロック図。
【符号の説明】
１：ＬＣＲ判定を行うためのプロセッサ（ＣＰＵ）
２：ＬＣＲ判定を行うためのデータ保持用メモリ
３：ＬＣＲ判定を行うためのリアルタイムクロック
４：電気通信事業者とのデータ通信用素子
５：ダイヤル送出部
【図１】
0003704398.tif 000002